(57)【要約】【課題】本発明は、例えば、集合住宅における高齢者若しくは障害者用のバリアフリーを達成するために形成される段差付きの合成床に関し、手間を省きコストを軽減することが課題である。【解決手段】梁間に架設される下部床板２と、該下部床板の上にコンクリートを打設して形成される上部床板３と、該上部床板において前記コンクリートを打設しない領域を設けて前記下部床面の上面を露出させて形成された凹部４と、からなる合成床１とするものである。【選択図】　図１
2004100206.tif 000002
【特許請求の範囲】
【請求項１】
梁間に架設される下部床板と、
該下部床板の上にコンクリートを打設して形成される上部床板と、
該上部床板において前記コンクリートを打設しない領域を設けて前記下部床面の上面を露出させて形成された凹部と、
からなることを特徴とする合成床。
【請求項２】
隣接する下部床板の目地部分における上側の目地巾が上下方向の途中で拡幅されて上部床板形成用に打設されたコンクリートが当該目地部分に充填されて形成される目地コンクリート体とからなること、
を特徴とする請求項１に記載の合成床。
【請求項３】
目地部分の表面に目荒らし，縦溝，若しくは，シアコッターを併設して形成される剪断抵抗部とからなること、
を特徴とする請求項２に記載の合成床。
【請求項４】
上部床板における凹部形成側壁面の内側で、該凹部形成側壁面に沿って配筋される補強鉄筋とからなること、
を特徴とする請求項１乃至３のいずれかに記載の合成床。
【発明の詳細な説明】
【０００１】
【発明の属する技術分野】
本発明は、例えば、集合住宅における高齢者若しくは障害者用のバリアフリーを達成するために形成される段差付きの合成床に関する。
【０００２】
【従来の技術】
従来、高齢化社会に向けた住宅環境整備の一環として、集合住宅等の建築物における、トイレ、浴室、厨房等の水廻りの床面は、その下に給排水用の設備配管が配設される関係で、予め周囲の床レベルよりも一段下げておいて、バリアフリーを達成するようにするものが知られている。
【０００３】
例えば、図７（Ａ），（Ｂ）に示すように、予め工場にて段差１１付きのプレキャストコンクリート板（以下、ＰＣ板という）１２を形成し、これを建築現場における建築物の梁間に架設し、必要なスラブ配筋を行って、その上に現場コンクリート１３を打設して、段差付きの合成床１４とするものである。
また、図７（Ｃ）に示すように、下部床版に段差をつけない工法の場合でも、上部床板の厚さを変えて段差を付けるものである（例えば、特許文献１参照。）。
【０００４】
【特許文献１】
特開平１０−３１７５６４号公報（第２頁乃至第３頁、第１図）
【０００５】
【発明が解決しようとする課題】
しかしながら、上記従来の方法では、ＰＣ板１２用の型枠が複雑であって、現場打ちコンクリート用の型枠も、段差を付けるので手間の掛かるものとなる。また、床板の水平力に対する耐力を確保するために、鉄筋を配筋してコンクリートを打設しているので、配筋作業の手間が掛かり、コンクリート使用量が増してコストが嵩むという課題がある。本発明に係る合成床は、このような課題を解消するために提案されたものである。
【０００６】
【課題を解決するための手段】
本発明に係る合成床の上記課題を解決するための要旨は、梁間に架設される下部床板と、該下部床板の上にコンクリートを打設して形成される上部床板と、該上部床板において前記コンクリートを打設しない領域を設けて前記下部床面の上面を露出させて形成された凹部とからなることである。
【０００７】
また、前記合成床において、隣接する下部床板の目地部分における上側の目地巾が上下方向の途中で拡幅されて上部床板形成用に打設されたコンクリートが当該目地部分に充填されて形成される目地コンクリート体とからなること、；
更に、前記目地部分の表面に目荒らし，縦溝，若しくは，シアコッターを併設して形成される剪断抵抗部とからなること、；
そして、前記上部床板における凹部形成側壁面の内側で、該凹部形成側壁面に沿って配筋される補強鉄筋とからなること、を含むものである。
【０００８】
本発明に係る合成床によれば、バリアフリーのために形成される凹部には、上部床板用のコンクリートを打設する必要が無く、打設作業の工数削減、および、打設コンクリート量の削減によるコストの低減となる。前記凹部には、上部床板用のコンクリートが打設されないので、目地コンクリート体により床板の水平面内力に対する耐力を確保することになる。更に、目地拡幅部を設けることで前記耐力が増強される。
【０００９】
また、目地部分に剪断抵抗部があることで、床板の水平面内力に対する耐力が補強される。上部床板における凹部形成側壁面の内側で、該凹部形成側壁面に沿って配筋される補強鉄筋により、その配筋される鉄筋量で床板の水平面内力に対する抵抗力を調節できる。
【００１０】
【発明の実施の形態】
次に、本発明に係る合成床１について図面を参照して説明する。なお、発明の理解を容易にするため、従来例に対応する部分には、従来例と同一符号を付けて説明する。
【００１１】
本発明の合成床１は、図１（Ａ）に示すように、梁間に架設されるもので工場で形成されたＰＣ板である下部床板２と、該下部床板２の上にコンクリート１３を打設して形成される上部床板３と、該上部床板３において前記コンクリートを打設しない領域を設けて前記下部床板２の上面２ａを露出させて形成された凹部４とからなるものである。
【００１２】
前記凹部４は、集合住宅等のトイレ、浴室、厨房等の水廻りの床面となるものである。そして、この合成床１では、凹部４となる領域において、上部床板３用のコンクリートを打設しないことで、段差１１が設けられた該凹部４が形成されるものである。
【００１３】
また、下部床板全体において、前記下部床版２の厚さは同一であるが、場合によっては、図１（Ｂ）に示すように、前記凹部４以外の領域に係る下部床板２ｂの厚さは厚く、前記凹部４の領域に係る下部床板２の厚さは薄くして、異なる厚さのＰＣ板によって凹部４に要求される深さを確保することもある。
【００１４】
よって、下部床板２又は下部床版２，２ｂを梁間に敷設した後に施工される凹部形成用の型枠は、凹部周囲の壁面を形成する堰板を立設したものとするだけでよい。また、この凹部４の領域には、鉄筋が配筋されないので、鉄筋工事の工数が削減されている。
【００１５】
また、図２に示すように、隣接する下部床板２，２若しくは下部床版２，２ｂの目地部分Ａにおける上側の目地巾ａが拡幅されている。その巾は、例えば、２．５ｃｍ〜１０ｃｍ程度である。これは、上部床板３形成用に打設されたコンクリート１３が当該目地部分Ａにも充填されるようにしたものである。なお、前記目地部分Ａの下部分からは、目地間隙が狭いのでコンクリートが漏れるおそれなない。これによって、目地コンクリート体５が形成される。
【００１６】
前記目地コンクリート体５により、下部床板２同士が一体となって水平面内力に対して抵抗するようになる。前記凹部４において、鉄筋が配筋されないことにより、水平面内力に対する抵抗力を発揮できなくなるので、下部床板２，２若しくは下部床版２，２ｂにより抵抗するようにしたものである。
【００１７】
更に、上下方向の荷重に対して抵抗する目地部分Ａにおいて、水平抵抗力をも増すようにするため、前記目地コンクリート体５と下部床板２の側壁面との接触面積を増大させている。即ち、図２に示すように、目地巾ａが上下方向の途中で、例えば、板厚の中央部において拡幅するように目地拡幅部ｂが設けられている。この目地拡幅部ｂの形状は、図示したものに限らず、円弧状の凹面でも良い。また、複数個の小さな凹部（図示せず）を併設したものであってもよい。
【００１８】
更に、前記目地部分Ａの表面ｃに、ランダムな方向に引く目荒らし６、上下方向に対して平行に、縦溝６ａ若しくはシアコッター７を併設して形成される剪断抵抗部８を設ける。これによって、合成床１の水平面内力に対する抵抗力を補強するものである。
【００１９】
また、図４に示すように、上部床板３における凹部４形成側壁面３ａの内側で、該凹部形成側壁面３ａに沿って補強鉄筋９が配筋される。この補強鉄筋９の配筋量により、水平面内力に対する抵抗力を調節するものである。
【００２０】
なお、前記補強鉄筋９の抵抗力につき、図５乃至図６に示すように、試験用ＰＣ板２ｃの目地部分に目地コンクリート体５を詰めて、［型鋼、ナット等により固定して供試体１０を形成し、これを試験機に掛けて剪断荷重Ｐで加圧して試験を行った。その結果は、表１の通りである。
【表１】
2004100206.tif 000003
【００２１】
上記から明らかなように、目地に直交する方向の鉄筋９を、前記凹部４の段差部分の直近に配置することで、水平面内力に対する抵抗力を調整することが可能となるものである。
【００２２】
【発明の効果】
以上説明したように、本発明に係る合成床は、梁間に架設される下部床板と、該下部床板の上にコンクリートを打設して形成される上部床板と、該上部床板において前記コンクリートを打設しない領域を設けて前記下部床面の上面を露出させて形成された凹部とからなるので、段差付きの合成床を施工しやすく、且つ、鉄筋の配筋作業の工数を削減するとともに、打設コンクリート量を減量させてコストを軽減することができると言う優れた効果を奏するものである。
【００２３】
また、隣接する下部床板の目地部分における上側の目地巾が拡幅されて上部床板形成用に打設されたコンクリートが当該目地部分に充填されて形成される目地コンクリート体とからなるので、下部床板が一体となって挙動し、水平面内力に抵抗するようになると言う優れた効果を奏するものである。
【００２４】
更に、目地巾が、上下方向の途中において拡幅するように設けられた目地拡幅部とからなるので、一枚の下部床版に作用した鉛直方向（上下方向）の荷重を隣接する床版と分け合って負担すると共に、水平面内力に対する抵抗力を増強できる。目地部分の表面に縦溝若しくはシアコッターを併設して形成される剪断抵抗部とからなるようにすることで、前記抵抗力を補強できる。
【００２５】
上部床板における凹部形成側壁面の内側で、該凹部形成側壁面に沿って配筋される補強鉄筋により、前記抵抗力を調節することができると言う優れた効果を奏するものである。
【図面の簡単な説明】
【図１】本発明に係る合成床１の一部を示す斜視図（Ａ），（Ｂ）である。
【図２】同本発明に係る合成床１の目地部分Ａにおける断面図である。
【図３】同本発明に係る合成床１における目地部分Ａにおいて、表面ｃに目荒らし６を設けた斜視図（Ａ）、縦溝６ａを設けた例の斜視図（Ｂ）と、シアコッター７を設けた例の斜視図（Ｃ）である。
【図４】同本発明に係る合成床１における凹部４において、段差１１の直近に補強鉄筋９を配筋した例の平面図（Ａ）、Ｂ−Ｂ線に沿った断面図（Ｂ）である。
【図５】供試体１０の斜視図である。
【図６】同供試体１０の正面図（Ａ）と、側面図（Ｂ）である。
【図７】従来例に係る段差付き合成床１４　の断面図（Ａ）と、ＰＣ板１２の斜視図である。
【符号の説明】
１　　　　　合成床、　　　　　　　　２，２ｂ　　　下部床板、
２ａ　　　　上面、　　　　　　　　　２ｃ　　　　　試験用ＰＣ板、
３　　　　　上部床板、　　　　　　　４　　　　　　凹部、
５　　　　　目地コンクリート体、　　６　　　　　　目荒らし、
６ａ　　　　　　縦溝、
７　　　　　シアコッター、　　　　　８　　　　　　剪断抵抗部、
９　　　　　補強鉄筋、　　　　　　　９ａ　　　　　負荷鉄筋、
１０　　　　供試体、　　　　　　　　１１　　　　　段差、
１２　　　　従来例のＰＣ板、
１３　　　　上部床板３形成用に打設されたコンクリート、
１４　　　　従来例の合成床。
【図１】
2004100206.tif 000004
【図２】
2004100206.tif 000005
【図３】
2004100206.tif 000006
【図４】
2004100206.tif 000007
【図５】
2004100206.tif 000008
【図６】
2004100206.tif 000009
【図７】
2004100206.tif 000010